(57)【特許請求の範囲】
【請求項１】
設備機器の操作装置であって、
操作面を有する押圧式スイッチと、
前記操作面の一部領域に設けられた、前記設備機器の運転オン状態における第１の指令を入力するための接触式スイッチと、
前記接触式スイッチの配置領域に対応して設けられた点灯表示部と、
前記押圧式スイッチおよび前記接触式スイッチに対する操作に応じて前記設備機器の動作を制御するための制御装置とを備え、
前記押圧式スイッチの操作に応じて前記設備機器の運転オン状態および運転オフ状態を切換え、かつ、前記運転オン状態において前記接触式スイッチへの操作を有効とするとともに前記点灯表示部を点灯状態とする一方で、前記運転オフ状態では前記接触式スイッチへの操作を無効とするとともに前記点灯表示部を消灯状態とし、
前記押圧式スイッチは、前記操作面の端部を押圧することによって状態が切換わるシーソースイッチによって構成される、操作装置。
【請求項２】
前記点灯表示部は、
前記操作面に設けられた情報表示部を含み、
前記制御装置は、前記点灯状態において前記第１の指令を示す情報を表示するように前記情報表示部を制御する、請求項１記載の操作装置。
【請求項３】
前記点灯表示部は、
前記操作面の前記接触式スイッチの配置領域の少なくとも一部に設けられた照明部を含み、
前記制御装置は、前記接触式スイッチへの操作を有効とするときに前記照明部を点灯する一方で、前記接触式スイッチへの操作を無効とするときに前記照明部を消灯する、請求項１または２記載の操作装置。
【請求項４】
前記操作装置は、壁面に設けられたスイッチボックス内に収容される、請求項１〜３のいずれか１項に記載の操作装置。
【請求項５】
前記操作装置は、照明器具の点消灯用スイッチと同一の前記スイッチボックス内に収容される、請求項４記載の操作装置。
【請求項６】
前記設備機器は、前記運転オン状態において、熱源機および床暖房パネルの間で温水を循環するように構成された床暖房装置であり、
前記第１の指令は、前記床暖房装置の温度目標に関する値である、請求項１〜５のいずれか１項に記載の操作装置。
【請求項７】
前記設備機器は、前記操作装置との間で通信可能に構成された操作端末からも前記運転オン状態および前記運転オフ状態の切換指令を入力可能に構成され、
前記制御装置は、
前記押圧式スイッチの操作および前記操作端末に対する前記切換指令の入力操作のいずれかを検知したときに前記運転オン状態および前記運転オフ状態を切換えるように構成され、
前記操作端末は、
前記切換指令に加えて、前記第１の指令の入力指示と、前記第１の指令とは別個の第２の指令の入力指示とをさらに入力可能に構成される、請求項１〜３のいずれか１項に記載の操作装置。
【請求項８】
前記操作装置は、
前記操作端末との間で無線通信するための通信部をさらに備える、請求項７記載の操作装置。
【請求項９】
前記設備機器は、前記運転オン状態において、熱源機および床暖房パネルの間で温水を循環するように構成された床暖房装置であり、
前記第１の指令は、温度目標値であり、
前記第２の指令は、前記設備機器のタイマーオン時刻およびタイマーオフ時刻の少なくとも一方であり、
前記制御装置は、前記第２の指令が入力されている場合には、前記タイマーオン時刻の到来時に前記設備機器を前記運転オフ状態から前記運転オン状態に切換える一方で、前記タイマーオフ時刻の到来時に前記設備機器を前記運転オン状態から前記運転オフ状態に切換える、請求項７または８に記載の操作装置。
【発明の詳細な説明】
【技術分野】
【０００１】
この発明は操作装置に関し、より特定的には、設備機器を遠隔操作するための操作装置に関する。
【背景技術】
【０００２】
給湯暖房器等の設備機器について、遠隔操作のための操作装置（以下、単にリモコンとも称する）によって、運転のオンオフ設定や設定温度等の動作設定が入力される構成が一般的に用いられている。たとえば、特許第４７７１８４６号公報（特許文献１）には、設備機器のリモコンにおいて、タッチパネル機能を備えた液晶表示装置の表示画面上にソフトウェア的に形成されたタッチスイッチによって、ユーザ入力操作用の入力操作装置を構成する例が記載されている。
【先行技術文献】
【特許文献】
【０００３】
【特許文献１】特許第４７７１８４６号公報
【発明の概要】
【発明が解決しようとする課題】
【０００４】
しかしながら、特許文献１のようなタッチパネルを用いた構成では、メニュー画面等の導入によって柔軟に多数項目の設定入力が可能となる一方で、ユーザの操作アクションが複雑化する傾向にある。代表的には、単純な機器の運転オンオフ操作についても、オンオフの操作スイッチの表示画面の呼び出し操作、および、当該表示画面でのスイッチ操作の２段階の操作が必要になることにより、ユーザ利便性が低下することが懸念される。
【０００５】
一方で、照明器具の操作スイッチに代表される、ハードウェア的な押圧式スイッチや接触式スイッチでは、１回の操作で１つの指令を入力できるため操作が簡素化される一方で、複数の設定入力を行う場合には、スイッチの配置個数の増加によってシンプルな構成とすることが困難であるため、デザイン性や操作性の低下が懸念される。
【０００６】
また、ハードウェアスイッチとタッチパネルとの単純な組み合わせでは、ソフトウェアスイッチの操作性の面からタッチパネルの面積確保が必要となるため、操作装置が大型化することが懸念される。
【０００７】
本発明はこのような問題点を解決するためになされたものであって、その目的は、シンプルな構成で操作性が高く、かつ、複数の設定入力が可能な操作装置を提供することである。
【課題を解決するための手段】
【０００８】
この発明によれば、設備機器の操作装置は、操作面を有する押圧式スイッチと、設備機器の運転オン状態における第１の指令を入力するための接触式スイッチと、点灯表示部と、制御装置とを備える。接触式スイッチおよび点灯表示部は、押圧式スイッチの操作面に設けられる。制御装置は、押圧式スイッチおよび接触式スイッチに対する操作に応じて設備機器の動作を制御する。押圧式スイッチの操作に応じて設備機器の運転オン状態および運転オフ状態を切換える。さらに、制御装置は、運転オン状態において接触式スイッチへの操作を有効とするとともに点灯表示部を点灯状態とする一方で、運転オフ状態では接触式スイッチへの操作を無効とするとともに点灯表示部を消灯状態とする。
【０００９】
上記操作装置によれば、押圧式スイッチの操作による１アクションで設備機器の運転オンオフ操作を実行できるとともに、点灯表示部によって設備機器が運転状態および運転オフ状態のいずれであるかをユーザが視認できる。さらに、運転オフ状態から運転オン状態への遷移時には、ユーザ操作を要することなく指令を設定するための接触式スイッチをユーザが操作可能な状態とすることができる。さらに、入力可能な指令の項目を１つに絞っているため、押圧式スイッチの操作面を用いて、接触式スイッチおよび表示部を配置することにより、デザイン性や操作性の低下を回避したシンプルな構成とすることが可能となる。この結果、運転オンオフおよびその他の指令（運転オンオフとは別の指令）の両方の設定入力が可能な操作装置を、シンプルでユーザ操作性の高い構成で実現することができる。
【００１０】
好ましくは、点灯表示部は、操作面に設けられた情報表示部を含む。制御装置は、点灯状態において第１の指令を示す情報を表示するように情報表示部を制御する。
【００１１】
このように構成することにより、情報表示部を点灯状態とすることによって、設備機器が運転オン状態であること、および、運転オン状態での第１の指令に関する情報の両方を、ユーザに視認させることができる。
【００１２】
また好ましくは、点灯表示部は、操作面の接触式スイッチの配置領域の少なくとも一部に設けられた照明部を含む。制御装置は、接触式スイッチへの操作を有効とするときに照明部を点灯する一方で、接触式スイッチへの操作を無効とするときに照明部を消灯する。
【００１３】
このように構成することにより、接触式スイッチの配置領域を照明部により点灯することによって、設備機器が運転オン状態であること、および、接触式スイッチへの操作が有効であることの両方をユーザに視認させることができる。
【００１４】
さらに好ましくは、操作装置は、壁面に設けられたスイッチボックス内に収容される。より好ましくは、操作装置は、照明器具の点消灯用スイッチと同一のスイッチボックス内に収容される。
【００１５】
このように構成することにより、操作装置を壁面に効率的に配設できる。
好ましくは、設備機器は、運転オン状態において、熱源機および床暖房パネルの間で温水を循環するように構成された床暖房装置である。第１の指令は、床暖房装置の温度目標に関する値である。
【００１６】
このように構成することにより、床暖房装置の運転オンオフ指令および運転時の温度目標をユーザが入力するための操作装置を、操作性が高く、かつ、シンプルな構成で提供することができる。
【００１７】
あるいは好ましくは、設備機器は、操作装置との間で通信可能に構成された操作端末からも運転オン状態および運転オフ状態の切換指令を入力可能に構成される。そして、制御装置は、押圧式スイッチの操作および操作端末に対する切換指令の入力操作のいずれかを検知したときに、運転オン状態および運転オフ状態を切換えるように構成される。操作端末は、切換指令に加えて、第１の指令の入力指示と、第１の指令とは別個の第２の指令の入力指示とをさらに入力可能に構成される。
【００１８】
このように構成することにより、操作端末によって操作装置からは入力できない指令を入力できる。したがって、操作装置に入力可能な指令を絞ることによってシンプルな構成を実現しつつ、設備機器に対する指令の多様性を担保することが可能となる。
【００１９】
さらに好ましくは、操作装置は、操作端末との間で無線通信するための通信部をさらに備える。
【００２０】
このように構成することにより、スマートフォンやタブレット端末等から、操作装置よりも多岐の動作設定を入力することができる。
【００２１】
さらに好ましくは、設備機器は、運転オン状態において、熱源機および床暖房パネルの間で温水を循環するように構成された床暖房装置である。第１の指令は、温度目標値であり、第２の指令は、設備機器のタイマーオン時刻およびタイマーオフ時刻の少なくとも一方である。制御装置は、第２の指令が入力されている場合には、タイマーオン時刻の到来時に設備機器を運転オフ状態から運転オン状態に切換える一方で、タイマーオフ時刻の到来時に設備機器を運転オン状態から運転オフ状態に切換える。
【００２２】
このように構成することにより、床暖房装置の運転オンオフ指令および運転時の温度目標をユーザが入力するための操作装置を、操作性が高く、かつ、シンプルな構成で提供することができるとともに、他の操作端末からタイマー運転に関する指令を入力することができる。
【発明の効果】
【００２３】
本発明によれば、シンプルな構成で操作性が高く、かつ、複数の設定入力が可能な操作装置を提供することができる。
【図面の簡単な説明】
【００２４】
【図１】本発明の実施の形態１に従う操作装置が適用される床暖房システムの構成を示す概略図である。
【図２】図１に示された床暖房リモコンの構成を説明するための外観図である。
【図３】実施の形態１に従う床暖房リモコンの制御構成を説明する機能ブロック図である。
【図４】床暖房装置の状態遷移図である。
【図５】マイクロコンピュータによる床暖房リモコンの制御を説明するフローチャートである。
【図６】実施の形態１に従う床暖房リモコンの第１の動作例を説明する外観図である。
【図７】実施の形態１に従う床暖房リモコンの第２の動作例を説明する外観図である。
【図８】実施の形態１に従う床暖房リモコンの壁面への好適な配設例を説明する外観図である。
【図９】本発明の実施の形態２に従う操作装置が適用される床暖房システムの構成を示す概略図である。
【図１０】図９に示された操作端末における床暖房装置に対するユーザ指令の入力画面例である。
【図１１】実施の形態２に従う床暖房リモコンの制御構成を説明する機能ブロック図である。
【図１２】各リモコンおよび操作端末によるユーザ操作項目を比較する図表である。
【発明を実施するための形態】
【００２５】
以下に、本発明の実施の形態について図面を参照して詳細に説明する。なお、以下では図中の同一または相当部分には同一符号を付して、その説明は原則的に繰返さないものとする。
【００２６】
［実施の形態１］
図１は、本発明の実施の形態１に従う操作装置が適用される床暖房システムの構成を示す概略図である。
【００２７】
図１を参照して、床暖房システム５は、熱源機１０と、床暖房パネル４５を含む床暖房装置４０と、給湯配管５０とを備える。床暖房パネル４５は、居室の床材４２の直下に配設される。
【００２８】
熱源機１０は、たとえば、ガス等の燃料燃焼式またはヒートポンプ式の給湯器で構成されて、温水を供給する。熱源機１０から供給された温水は、給湯配管５０を経由して床暖房パネル４５に供給される。給湯配管５０は、往き配管および戻り配管を有するように構成される。床暖房装置４０の運転オン状態では、熱源機１０および床暖房パネル４５の間で温水循環経路が形成される。これにより、床暖房パネル４５を通流する温水からの放熱によって床材の温度が上昇することにより、室内を暖房することができる。一方で、床暖房装置４０の運転オフ状態では、熱源機１０から床暖房パネル４５への温水供給が停止されて、上記循環経路が非形成とされる。
【００２９】
床暖房装置４０では、温水の単位時間（たとえば、２０分間）当たりの供給熱量調整により、暖房時の室内温度を調整することができる。このため、床暖房装置４０に対しては、ユーザが暖房温度目標値を設定することができる。本実施の形態では、暖房温度目標値は、直接的な温度値ではなく、９水準のレベル値（レベル１〜レベル９）で設定されるものとする。たとえば、暖房温度目標値に連動して、熱源機１０からの上記供給熱量を増減することによって、床暖房装置４０による暖房温度を制御することができる。
【００３０】
床暖房リモコン１００は、床暖房装置４０の運転オンオフ指令と、床暖房装置４０の指令の１つである暖房温度目標値とをユーザが入力するために設けられる。床暖房リモコン１００は、通信線１０１によって熱源機１０と接続されている。床暖房リモコン１００は、代表的には、住宅の壁面に配設される。床暖房リモコン１００は、本実施の形態に従う「操作装置」の一実施例に対応し、床暖房装置４０は「設備機器」の一実施例に対応する。また、台所リモコン２０および浴室リモコン３０の各々は、「操作装置」の一実施例である床暖房リモコン１００に対する他の「操作端末」の一実施例に対応する。
【００３１】
なお、床暖房装置４０の運転オン状態では、上述した単位時間当たりでの温水循環時間と温水循環停止時間との比率を変更することによって床暖房パネル４５への供給熱量を調整するように構成することも可能である。この構成の場合には、床暖房装置４０の運転オン状態であっても温水循環が一時的に停止している時間が存在し得る。
【００３２】
図示しないが、熱源機１０からは、浴槽、シャワー、カラン等を出力端とする給湯システムに対しても給湯経路が形成されている。当該給湯システムに対するユーザ指令は、リモコン２０，３０によって入力される。リモコン２０および３０は、通信線２１および３１によって、熱源機１０と接続される。
【００３３】
たとえば、リモコン２０は台所の壁面に配設されて、操作ボタン２２および表示パネル２５を有する。以下では、リモコン２０を台所リモコンとも称する。同様に、リモコン３０は、浴室の壁面に配設されて、操作ボタン３２および表示パネル３５を有する。以下では、リモコン３０を浴室リモコンとも称する。
【００３４】
台所リモコン２０および浴室リモコン３０に対しては、操作ボタン２２，３２を用いて、給湯システムの運転オンオフ指令、ならびに、給湯温度指令値、浴槽へのお湯張り指令、および、タイマー運転入力等の各種指令を、ユーザが入力できる。表示パネル２５，３５は、給湯システムの運転状態を示す情報を表示する。
【００３５】
さらに、本実施の形態では、通信線２１，３１，１０１を経由して、リモコン２０，３０の各々と、床暖房リモコン１００とが通信可能である。このため、床暖房装置４０に対するユーザ指令は、床暖房リモコン１００のみではなく、リモコン２０および３０に対しても入力可能な構成とすることができる。これにより、図１の例では、床暖房リモコン１００、ならびに、台所リモコン２０および浴室リモコン３０によって、床暖房装置４０のユーザ指令を入力するための操作システム６を構成することができる。すなわち、台所リモコン２０および浴室リモコン３０の各々では、操作ボタン２２，３２の所定の操作によって、床暖房装置４０の運転オンオフ指令、ならびに、運転に関する指令（たとえば、暖房温度目標値および運転タイマー時刻設定値）を入力可能である。
【００３６】
図２は、床暖房リモコン１００の構成を説明するための外観図である。
図２（ａ）は壁面９０に配置された床暖房リモコン１００の正面図である。図２（ｂ）は、図２（ａ）の床暖房リモコン１００を、壁面９０に沿った方向から見た側面図である。
【００３７】
図２（ａ），（ｂ）を参照して、床暖房リモコン１００は、ユーザによる操作面１１１を有する押圧式スイッチ１１０を備える。押圧式スイッチ１１０は、壁面９０に取り付けられたスイッチボックス１５０に収容される。
【００３８】
押圧式スイッチ１１０は、図２で例示するように、ユーザが操作面１１１の端部を押圧することによって状態が切換わるシーソースイッチによって構成することができる。以下では、押圧式スイッチ１１０がシーソースイッチによって構成される例を説明するが、押圧式スイッチ１１０については、操作面１１１を垂直方向に押込むことによって操作する、いわゆるプッシュスイッチによって構成することも可能である。
【００３９】
押圧式スイッチ１１０の操作面１１１には、接触式スイッチ１２１，１２２と、表示ＬＥＤ（Light  Emitting  Diode）によって構成された照明部１３１，１３２と、情報表示部１４０とが設けられる。接触式スイッチ１２１および１２２は、ユーザとの接触による静電容量や圧力等の変化により、ユーザ操作を感知可能に構成される。
【００４０】
照明部１３１は、接触式スイッチ１２１の配置領域の少なくとも一部に対応して配置される。したがって、照明部１３１の点灯時には、ユーザに対して接触式スイッチ１２１の存在を視認させることができる。同様に、照明部１３２は、接触式スイッチ１２２の配置領域に対応して配置される。照明部１３２の点灯時には、ユーザに対して接触式スイッチ１２２の存在を視認させることができる。
【００４１】
情報表示部１４０は、代表的には、７セグメントＬＥＤで構成されて、数値情報を表示可能に構成される。本実施の形態では、情報表示部１４０は、床暖房装置４０による暖房温度目標値を示すレベル値１〜９（９水準）を表示するものとする。
【００４２】
図３は、床暖房リモコン１００の制御構成を説明する機能ブロック図である。
図３を参照して、床暖房リモコン１００は、図２に示された押圧式スイッチ１１０、ならびに、押圧式スイッチ１１０の操作面１１１に設けられた、接触式スイッチ１２１，１２２、照明部１３１，１３２および情報表示部１４０に加えて、マイクロコンピュータ１０５をさらに備える。
【００４３】
マイクロコンピュータ１０５は、熱源機１０のコントローラ１５と、通信線１０１を経由して双方向に通信可能に構成されている。コントローラ１５は、図１に示した通信線２１および３１によって、台所リモコン２０および浴室リモコン３０との間で双方向に通信可能に構成されている。したがって、マイクロコンピュータ１０５は、台所リモコン２０または浴室リモコン３０に入力された床暖房装置４０のユーザ指令を、コントローラ１５を経由して検知することができる。
【００４４】
コントローラ１５は、代表的にはマイクロコンピュータで構成される。コントローラ１５は、リモコン２０，３０へ入力されたユーザ指令に従って熱源機１０の動作を制御する。代表的には、コントローラ１５によって、熱源機１０からの給湯温度が制御される。
【００４５】
押圧式スイッチ１１０は、操作面１１１へのユーザ押圧操作に応じて、図示しない電気的接点間の開状態および閉状態が切換わるように構成される。たとえば、マイクロコンピュータ１０５は、当該電気的接点の開閉に応じた所定ノードの電圧変化に基づいて、押圧式スイッチ１１０に対するユーザ操作を検知することができる。
【００４６】
接触式スイッチ１２１，１２２は、ユーザの接触による物理量（たとえば、静電容量）の変化に応じて、ユーザ操作の検知信号をマイクロコンピュータ１０５に対して送出するように構成されている。マイクロコンピュータ１０５は、当該検知信号に応じて、接触式スイッチ１２１，１２２に対するユーザ操作を検知することができる。
【００４７】
マイクロコンピュータ１０５は、照明部１３１，１３２および情報表示部１４０を構成するＬＥＤへの電流供給をオンオフすることによって、各ＬＥＤを点灯状態および消灯状態のいずれとするかを制御することができる。具体的には、各ＬＥＤに電流を供給するための各駆動回路（図示せず）が、マイクロコンピュータ１０５からの指令に応じて、電流供給を実行（オン）あるいは停止（オフ）するように構成される。照明部１３１，１３２および情報表示部１４０の各々は、「点灯表示部」の一実施例に対応する。
【００４８】
マイクロコンピュータ１０５は、情報表示部１４０については、消灯状態（オフ状態）では全ＬＥＤを消灯する一方で、点灯状態（オン状態）では、数字表示のために選択的にＬＥＤを点灯する。この結果、マイクロコンピュータ１０５は、情報表示部１４０による表示内容（１〜９）を制御することができる。
【００４９】
図４は、床暖房装置の状態遷移図である。図４に示される状態遷移は、マイクロコンピュータ１０５によって制御することができる。
【００５０】
図４を参照して、床暖房装置４０は、運転オフ状態において、押圧式スイッチ１１０の操作が検知されると、運転オン状態に遷移する。一方で、床暖房装置４０は、運転オン状態において、押圧式スイッチ１１０の操作が検知されると、運転オフ状態に遷移する。
【００５１】
さらに、床暖房装置４０は、運転オフ状態において、台所リモコン２０または浴室リモコン３０に対する床暖房装置４０の運転オンオフ操作が検知されると、運転オン状態へ遷移する。一方で、床暖房装置４０は、運転オン状態において、台所リモコン２０または浴室リモコン３０に対する床暖房装置４０の運転オンオフ操作が検知されると、運転オフ状態に遷移する。上述のように、台所リモコン２０または浴室リモコン３０では、操作ボタン２２，３２に対して、床暖房装置４０の運転オンオフ指令を入力するための所定操作が行われたときに、床暖房装置４０の運転オンオフ操作が検知される。
【００５２】
このように、マイクロコンピュータ１０５は、床暖房リモコン１００の押圧式スイッチ１１０の操作によって、床暖房装置４０の運転オン状態および運転オフ状態を相互に切換えるとともに、台所リモコン２０または浴室リモコン３０の操作に応じて、床暖房装置４０の運転オン状態および運転オフ状態を相互に切換えることができる。
【００５３】
なお、床暖房装置４０は、台所リモコン２０または浴室リモコン３０に対するユーザ操作によって、床暖房装置４０の運転オンオフを時刻ベースで自動的に制御するタイマー運転を予約することも可能である。タイマー運転では、開始時刻および終了時刻がユーザによって設定される。本実施の形態では、タイマー運転の予約入力は、床暖房リモコン１００からは入力不能である。
【００５４】
マイクロコンピュータ１０５は、タイマー運転の設定時には、開始時刻の到来に応じて、床暖房装置４０を自動的に運転オフ状態から運転オン状態に遷移する。さらに、マイクロコンピュータ１０５は、終了時刻の到来に応じて、床暖房装置４０を自動的に運転オン状態から運転オフ状態へ遷移する。
【００５５】
図５は、マイクロコンピュータ１０５による床暖房リモコンの制御を説明するフローチャートである。
【００５６】
図５を参照して、マイクロコンピュータ１０５は、ステップＳ１００により、図４の状態遷移図に従って、床暖房装置４０が運転オン状態および運転オフ状態のいずれであるかを判定する。
【００５７】
マイクロコンピュータ１０５は、運転オン状態では（Ｓ１００のＹＥＳ判定時）、ステップＳ１１０により、照明部１３１，１３２を点灯する。これにより、接触式スイッチ１２１，１２２の配置領域の少なくとも一部が明るくなる。さらに、ステップＳ１１０では、情報表示部１４０はオン状態とされて、暖房温度目標値を示すレベル値（たとえば、１〜９のいずれか）を、７セグメントＬＥＤによって表示する。
【００５８】
さらに、マイクロコンピュータ１０５は、ステップＳ１２０により、接触式スイッチ１２１および１２２の操作を有効とする。これにより、接触式スイッチ１２１および１２２からの検知信号が有効となる。たとえば、マイクロコンピュータ１０５は、接触式スイッチ１２１からの検知信号を受信する毎に、暖房温度目標値を示すレベル値を１ずつ上昇する。反対に、マイクロコンピュータ１０５は、接触式スイッチ１２２からの検知信号を受信する毎に、暖房温度目標値を示すレベル値を１ずつ低下する。マイクロコンピュータ１０５は、接触式スイッチ１２１または１２２の操作によって暖房温度目標値が変化すると、これに合わせて情報表示部１４０による表示値も変更する。
【００５９】
これに対して、マイクロコンピュータ１０５は、運転オフ状態では（Ｓ１００のＮＯ判定時）、ステップＳ１３０により、照明部１３１，１３２を消灯するとともに、情報表示部１４０をオフ状態とする。
【００６０】
さらに、マイクロコンピュータ１０５は、ステップＳ１４０により、接触式スイッチ１２１および１２２の操作を無効とする。これにより、マイクロコンピュータ１０５は、接触式スイッチ１２１および１２２からの検知信号を受け付けない状態となるので、ユーザが接触式スイッチ１２１および１２２に触れても、暖房温度目標値は変化することなく維持される。
【００６１】
図６および図７には、図４および図５に従った、床暖房リモコン１００の動作例が示される。図６には、押圧式スイッチ１１０の操作に応じた動作例が示される。
【００６２】
図６を参照して、床暖房装置４０の運転オフ状態では、床暖房リモコン１００は、左側に示す状態となる。具体的には、押圧式スイッチ１１０の操作面１１１において、情報表示部１４０がオフ状態とされるとともに、接触式スイッチ１２１，１２２に対応するＬＥＤ表示も消灯とされている。
【００６３】
運転オフ状態から押圧式スイッチ１１０を操作すると、床暖房装置４０が運転オン状態に遷移して、床暖房リモコン１００は、右側に示す状態となる。運転オン状態では、押圧式スイッチ１１０の操作面１１１において、照明部１３１および１３２が点灯状態とされることにより、ユーザは接触式スイッチ１２１，１２２が操作可能な状態であることを視認できる。さらに、情報表示部１４０がオン状態とされて、暖房温度目標値を示すレベル値が表示される。
【００６４】
反対に、床暖房装置４０の運転オン状態（右側）において、押圧式スイッチ１１０が操作されることにより、床暖房装置４０は運転オフ状態とされて、床暖房リモコン１００は左側の状態に戻る。
【００６５】
図７には、台所リモコン２０または浴室リモコン３０の操作に応じた動作例が示される。
【００６６】
図７を参照して、床暖房装置４０の運転オフ状態（左側）から、台所リモコン２０または浴室リモコン３０に対する床暖房装置４０の運転オンオフ操作が検知されると、床暖房装置４０が運転オン状態に遷移して、床暖房リモコン１００は、右側に示す状態となる。この場合には、押圧式スイッチ１１０の位置が変化することなく情報表示部１４０および照明部１３１，１３２を構成する各ＬＥＤが消灯されて、操作面１１１の表示が、図６の右側と同じ内容に切り換わることが理解される。
【００６７】
反対に、床暖房装置４０の運転オン状態（右側）において、台所リモコン２０または浴室リモコン３０に対する床暖房装置４０の運転オンオフ操作によって運転オフ状態に遷移すると、押圧式スイッチ１１０の状態が変化することなく、床暖房リモコン１００は左側の状態に戻る。
【００６８】
図７に示されるように、台所リモコン２０または浴室リモコン３０の操作による運転オンオフの切換えについても、床暖房リモコン１００の状態（具体的には、情報表示部１４０および／または照明部１３１，１３２の表示状態）によってユーザは視認することができる。
【００６９】
以上説明したように、実施の形態１に従う操作装置である床暖房リモコン１００は、押圧式スイッチ１１０の操作による１アクションで床暖房装置４０の運転オンオフ操作を実行できるとともに、情報表示部１４０および／または照明部１３１，１３２によって、運転オン状態および運転オフ状態のいずれであるかをユーザが視認できる。さらに、運転オフ状態から運転オン状態への遷移時には、ユーザ操作を要することなく、指令を設定するための接触式スイッチ１２１，１２２をユーザが操作可能な状態とすることができる。
【００７０】
特に、床暖房リモコン１００によって入力可能な指令の項目を１つに絞っているため、接触式スイッチの配置個数が抑制される。さらに、押圧式スイッチ１１０の操作面１１１を用いて、接触式スイッチ１２１，１２２および情報表示部１４０を配置することにより、デザイン性や操作性の低下を回避したシンプルな構成とすることができている。また、押圧式スイッチ１１０と接触式スイッチ１２１，１２２とを用いて、異なる設定入力である、運転オンオフ操作および運転オンオフとは異なる指令（以下、「その他の指令」とも称する）の設定操作を行うことができるので、ユーザの操作ミスを予防できるとともに、操作内容がユーザの記憶に残り易くなる効果も期待できる。
【００７１】
この結果、本実施の形態１によれば、運転オンオフおよびその他の指令の両方の設定入力が可能な操作装置を、シンプルで操作性の高い構成で実現することができる。
【００７２】
図８には、実施の形態１に従う床暖房リモコンの壁面への好適な配設例が示される。図８（ａ）および（ｂ）には、壁面９０に配置された床暖房リモコン１００の正面図および側面図がそれぞれ示される。
【００７３】
図８を参照して、押圧式スイッチ１１０のサイズ幅を、照明器具の点消灯するためのスイッチ２００と揃えることにより、床暖房リモコン１００をスイッチ２００と同一のスイッチボックス１５０に収容することができる。これにより、床暖房リモコン１００を壁面に効率的に配設することが可能となる。
【００７４】
［実施の形態２］
図９は、実施の形態２に従う操作装置が適用される床暖房システム５♯の構成を示す概略図である。実施の形態２においても、床暖房リモコン１００が「操作装置」の一例として示される。
【００７５】
図９を参照して、実施の形態２に従う床暖房システム５♯では、図１に示した操作システム６に代えて操作システム６♯が構成される。操作システム６♯は、図１に示した操作システム６と比較して、床暖房リモコン１００に対して無線通信によってユーザ指令を入力できる操作端末３００をさらに含む点で異なる。代表的には、操作端末３００は、スマートフォンやタブレット端末によって構成することができる。
【００７６】
図１０は、操作端末３００における床暖房装置４０に対するユーザ指令の入力画面例である。
【００７７】
図１０を参照して、操作端末３００の表示画面３５０は、代表的には、タッチパネルを備えた液晶表示装置によって構成される。所定メニューの起動により、表示画面３５０に、床暖房装置４０に対するユーザ指令の入力画面が表示される。
【００７８】
当該入力画面では、ソフトウェアスイッチ３０１〜３０３，３０５〜３０６と、アイコン３１１と、時刻情報３１２，３１３とが表示される。
【００７９】
ソフトウェアスイッチ３０１は、床暖房リモコン１００の押圧式スイッチ１１０と同様に、床暖房装置４０の運転オンオフ指令のためのユーザ操作を受け付けるために設けられる。ソフトウェアスイッチ３０５は、接触式スイッチ１２１と同様に、指令の１つである暖房温度目標値の上昇を指示するユーザ操作を受け付けるために設けられる。同様に、ソフトウェアスイッチ３０６は、接触式スイッチ１２２と同様に、暖房温度目標値の低下を指示するユーザ操作を受け付けるために設けられる。
【００８０】
アイコン３１１は、情報表示部１４０と同様に、暖房温度目標値を示すレベル値（たとえば、１〜９のいずれか）を表示するように構成される。ソフトウェアスイッチ３０２，３０３の各々は、タイマー運転の開始時刻および終了時刻の設定入力を受け付けるために設けられる。たとえば、ソフトウェアスイッチ３０２，３０３を操作することで操作メニューの下位階層に入ることができ、当該下位階層では、タイマー運転の開始時刻および終了時刻の設定入力、および、タイマー運転の入／切の設定入力が可能となるように、表示画面３５０の操作メニューを構成することができる。
【００８１】
時刻情報３１２は、ソフトウェアスイッチ３０２の操作時に入力あるいは変更可能となる、タイマー運転の開始時刻および終了時刻を表示する。同様に、時刻情報３１３は、ソフトウェアスイッチ３０３の操作時に入力あるいは変更可能となる、タイマー運転の開始時刻および終了時刻を表示する。このように、図１０の例では、２組のタイマー運転を予約可能である。
【００８２】
なお、実施の形態１では説明を省略したが、台所リモコン２０および浴室リモコン３０についても、図１０と同様の入力機能（運転オンオフ指令、暖房温度目標値、および、タイマー運転の時刻設定の入力機能）を有する入力画面を、表示パネル２５，３５を用いて表示することができる。
【００８３】
図１１は、実施の形態２に従う床暖房リモコンの制御構成を説明する機能ブロック図である。
【００８４】
図１１を参照して、実施の形態２に従う床暖房リモコン１００は、実施の形態１の構成（図３）と比較して、操作端末３００との間で無線通信するための通信部１０７をさらに備える。床暖房リモコン１００のその他の部分の構成は図３と同様であるので詳細な説明は繰り返さない。
【００８５】
マイクロコンピュータ１０５は、通信部１０７を経由して、台所リモコン２０および浴室リモコン３０に対するユーザ操作と同様に、操作端末３００に対するユーザ操作を検知することができる。
【００８６】
この結果、マイクロコンピュータ１０５は、ソフトウェアスイッチ３０１の操作が検知されたときには、図４に示した状態遷移図における台所リモコン２０または浴室リモコン３０に対する運転オンオフ操作の検知時と同様に扱って、床暖房装置４０の運転オン状態および運転オフ状態を切換える。
【００８７】
また、マイクロコンピュータ１０５は、ソフトウェアスイッチ３０５の操作が検知される毎に、暖房温度目標値を示すレベル値を１ずつ上昇する。同様に、マイクロコンピュータ１０５は、ソフトウェアスイッチ３０６の操作が検知される毎に、暖房温度目標値を示すレベル値を１ずつ低下する。暖房温度目標値（レベル値）は、通信部１０７を経由して、マイクロコンピュータ１０５から操作端末３００へ送信される。操作端末３００では、マイクロコンピュータ１０５から受信した暖房温度目標値（レベル値）に従って、アイコン３１１による表示内容を制御する。
【００８８】
さらに、マイクロコンピュータ１０５は、操作端末３００に対するタイマー運転の設定が入力されると、通信部１０７を経由して、時刻情報３１２，３１３に従った開始時刻および終了時刻を認識することができる。すなわち、マイクロコンピュータ１０５は、台所リモコン２０、浴室リモコン３０および、操作端末３００のいずれかによってタイマー運転が予約されると、予約された開始時刻および終了時刻に従って、床暖房装置４０の運転オン状態および運転オフ状態を相互に切換える。
【００８９】
図１２には、床暖房リモコン１００、台所リモコン２０、浴室リモコン３０および、操作端末３００による床暖房装置４０に関するユーザ操作項目を比較するための図表が示される。
【００９０】
図１２を参照して、床暖房リモコン１００、台所リモコン２０、浴室リモコン３０および操作端末３００のいずれによっても、床暖房装置４０の運転オンオフ指令を入力することができる。一方で、その他の指令については、床暖房リモコン１００、台所リモコン２０、浴室リモコン３０および操作端末３００の全部で入力可能な項目と、一部のみで入力可能な項目とに分類される。
【００９１】
上述のように、指令のうちの暖房温度目標値（レベル値）については、床暖房リモコン１００、台所リモコン２０、浴室リモコン３０および操作端末３００のいずれからも操作可能である。これに対して、指令のうちのタイマー運転に関する設定指令（タイマー運転のオンオフならびに開始時刻および終了時刻）については、床暖房リモコン１００からは入力不能であり、台所リモコン２０、浴室リモコン３０および操作端末３００によって入力される。すなわち、暖房温度目標値は「第１の指令」に対応し、タイマー運転に関する設定指令は「第２の指令」に対応する。
【００９２】
これにより、床暖房リモコン１００による入力項目を絞ることでシンプルな構成を実現しつつ、床暖房装置４０に対する指令の多様性を担保することが可能となる。
【００９３】
なお、本実施の形態では、情報表示部１４０および照明部１３１，１３２の両方を、運転オン状態で点灯状態となる「点灯表示部」として具備する構成を例示したが、情報表示部１４０および照明部１３１，１３２のいずれか一方については、配置を省略することも可能である。たとえば、照明部１３１，１３２の配置を省略しても、情報表示部１４０によって床暖房装置４０が運転オン状態および運転オフ状態のいずれであるかをユーザは視認できる。同様に、情報表示部１４０については、接触式スイッチ１２１，１２２の操作に応じて指令（暖房温度目標値）を音声出力するスピーカを代替配置することも可能であるが、この場合にも、照明部１３１，１３２を設けることにより、床暖房装置４０が運転オン状態および運転オフ状態のいずれであるかをユーザは視認できる。すなわち、情報表示部１４０および照明部１３１，１３２の少なくとも一方を配置することにより、本発明における「点灯表示部」を構成することができる。
【００９４】
また、本実施の形態では、床暖房装置を「設備機器」とする操作装置（床暖房リモコン１００）を例示して説明したが、本発明の適用は当該例示に限定されるものでない。たとえば、給湯システムにおける「ふろ自動機能」のリモコンについても、本実施の形態での床暖房リモコン１００と同様に構成することが可能である。具体的には、押圧式スイッチ１１０の操作によってふろ自動機能のオンオフを操作するとともに、接触式スイッチ１２１，１２２によって浴槽湯の設定温度を操作するように、操作装置を構成することができる。このように、本発明の任意の設備機器の操作装置について、当該機器の運転オンオフ指令、および、その他の１つの指令を入力するように、実施の形態１または２と同様に構成することが可能である。
【００９５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９６】
５，５♯  床暖房システム、６，６♯  操作システム、１０  熱源機、１５  コントローラ（熱源機）、２０  台所リモコン、２１，３１，１０１  通信線、２２，３２  操作ボタン、２５，３５  表示パネル、３０  浴室リモコン、４０  床暖房装置、４２  床材、４５  床暖房パネル、５０  給湯配管、９０  壁面、１００  床暖房リモコン、１０５  マイクロコンピュータ、１０７  通信部、１１０  押圧式スイッチ、１１１  操作面、１２１，１２２  接触式スイッチ、１３１，１３２  照明部（ＬＥＤ）、１４０  情報表示部（ＬＥＤ）、１５０  スイッチボックス、２００  スイッチ、３００  操作端末（スマートフォン）、３０１〜３０３，３０５，３０６  ソフトウェアスイッチ、３１１  アイコン、３１２，３１３  時刻情報、３５０  表示画面（操作端末）。
【図１】
0006747059.tif 000002
【図２】
0006747059.tif 000003
【図３】
0006747059.tif 000004
【図４】
0006747059.tif 000005
【図５】
0006747059.tif 000006
【図６】
0006747059.tif 000007
【図７】
0006747059.tif 000008
【図８】
0006747059.tif 000009
【図９】
0006747059.tif 000010
【図１０】
0006747059.tif 000011
【図１１】
0006747059.tif 000012
【図１２】
0006747059.tif 000013